(57)【要約】【課題】簡単な構成で異常開窓行為を監視することができる窓監視装置を提供する。【解決手段】施錠された窓を外部から開けようとする異常開窓行為を監視する窓監視装置であって、前記窓の開閉により変化する信号を出力する信号出力手段１２と、信号出力手段１２が出力した信号から前記窓の前記異常開窓行為の発生に応じた変化パターンを検出する異常開窓行為検出手段１３と、信号出力手段１２が出力した信号から前記窓の開閉に応じた変化パターンを検出する開閉検出手段１５と、異常開窓行為検出手段１３による前記異常開窓行為の検出、若しくは、開閉検出手段１５による前記開閉の検出の少なくとも一方に応じて、前記異常開窓行為が発生したことを警告するための警告情報を発生する警告情報発生手段１８と、を備えることを特徴とする。【選択図】　　　図１
2004110539.tif 000002
【特許請求の範囲】
【請求項１】
施錠された窓を外部から開けようとする異常開窓行為を監視する窓監視装置であって、
前記窓の開閉により変化する信号を出力する信号出力手段と、
前記信号出力手段が出力した信号から前記窓の前記異常開窓行為の発生に応じた変化パターンを検出する異常開窓行為検出手段と、
前記信号出力手段が出力した信号から前記窓の開閉に応じた変化パターンを検出する開閉検出手段と、
前記異常開窓行為検出手段による前記異常開窓行為の検出、若しくは、前記開閉検出手段による前記開閉の検出の少なくとも一方に応じて、前記異常開窓行為が発生したことを警告するための警告情報を発生する警告情報発生手段と、
を備えることを特徴とする窓監視装置。
【請求項２】
前記信号出力手段は、前記窓の召し合わせ部に設けられたクレセント錠に対する前記施錠の解除操作に応じて前記信号が変化して出力するように設けられ、
前記信号出力手段が出力した信号に基づいて前記解除操作の発生に応じた変化パターンを検出する解除操作検出手段をさらに備え、
前記警告情報発生手段は、前記開閉操作発生手段が前記開閉操作を検出すると、それ以降に前記開閉検出手段による前記開閉が検出されても前記発生を行わない
ことを特徴とする窓監視装置。
【請求項３】
請求項１又は２に記載の前記窓監視装置を備え、前記窓の防犯を行う防犯システムであって、
前記窓監視装置の前記警告情報発生手段が発生した警告情報に基づいて前記警告を行う警告手段を備える
ことを特徴とする防犯システム。
【発明の詳細な説明】
【０００１】
【発明の属する技術分野】
本発明は、窓監視装置及び防犯システムに関し、より詳細には、施錠された窓を外部から開けようとする異常開窓行為を監視する窓監視装置、及び、当該窓監視装置を有する防犯システムに関するものである。
【０００２】
【従来の技術】
従来より建物の出入口や窓に設けられる引違戸等のガラスの破壊を検出する装置としては、ガラス面に圧電素子を貼り付けておき、ガラス破壊時に発生する振動を検出する装置、音波検出手段をガラス表面に設置し、ガラス破壊時に発生する音波を検出する装置、等が知られている。
【０００３】
従来のガラス破壊検出装置は、ガラスが破壊されたときに発生する音波を音波検出手段により検出し、この検出した音波波形を方形波検出手段により解析してガラス破壊時に特有な方形波の有無を判定し、その有無によりガラスの破壊を検出している（例えば、特許文献１参照）。
【０００４】
また、窓の開閉を検出する装置としては、永久磁石とリードスイッチを組み合わせた装置や、永久磁石とマイクロスイッチを組み合わせ装置などがある。例えば、永久磁石とマイクロスイッチを組み合わせた装置では、永久磁石同士の反撥力または吸着力を利用してマイクロスイッチの接点を押して扉の開放または閉鎖状態を検知する装置等が知られている。
【０００５】
従来の開閉検知装置は、扉框または扉の開放端に永久磁石を固定し、閉扉時該固定磁石に対向する位置の扉の開放端または扉框に、該固定磁石との同局同士の反撥力または吸着力により可動する永久磁石を設けるとともに、可動磁石側には同可動磁石の運動により接点が押されるマイクロスイッチを設けている（例えば、特許文献２参照）。
【０００６】
【特許文献１】
特開平１０−３２６３８５号公報（第２−４頁、第１図）
【特許文献２】
実開平５−３６５９３号公報（第５頁、第１図）
【０００７】
【発明が解決しようとする課題】
しかしながら、防犯のために窓ガラスの破壊と開閉と双方を検出するには、上述したガラス破壊を検出する装置と窓の開閉を検出する装置をそれぞれ設置しなければならず、コストが嵩んでしまうという問題が生じていた。また、ガラス破壊を検出する装置では、破壊に応じた音波を検出するためにノイズフィルター回路等を設けているが誤動作が多いという問題があった。
【０００８】
よって本発明は、上述した問題点に鑑み、簡単な構成で施錠された窓を外部から開けようとする異常開窓行為を監視することができる窓監視装置及び防犯システムを提供することを課題としている。
【０００９】
【課題を解決するための手段】
上記課題を解決するため本発明によりなされた請求項１記載の窓監視装置は、図１の基本構成図に示すように、施錠された窓を外部から開けようとする異常開窓行為を監視する窓監視装置であって、前記窓の開閉により変化する信号を出力する信号出力手段１２と、前記信号出力手段１２が出力した信号から前記窓の前記異常開窓行為の発生に応じた変化パターンを検出する異常開窓行為検出手段１３と、前記信号出力手段１２が出力した信号から前記窓の開閉に応じた変化パターンを検出する開閉検出手段１５と、前記異常開窓行為検出手段１３による前記異常開窓行為の検出、若しくは、前記開閉検出手段１５による前記開閉の検出の少なくとも一方に応じて、前記異常開窓行為が発生したことを警告するための警告情報を発生する警告情報発生手段１８と、を備えることを特徴とする。
【００１０】
上記請求項１に記載した本発明の窓監視装置によれば、信号出力手段１２が出力する信号は、異常開窓行為の発生や窓の開放状態に応じて変化する。そして、信号出力手段１２が出力した信号から、異常開窓行為検出手段１３が異常開窓行為に応じた変化パターンを検出する、若しくは、開閉検出手段１５が窓の開閉に応じた変化パターンを検出すると、警告情報発生手段１８は警告情報を発生する。よって、窓の開閉に応じた信号を出力するように信号出力手段１２を設けていることから、窓ガラスの破壊等の異常開窓行為が発生すれば、信号出力手段１２が出力する信号も変化するため、その変化パターンに基づいて窓の開閉及び異常開窓行為の双方を検出することができる。そして、発生した警告情報の発生に応じて警告を行うことで、窓の防犯を行うことができる。また、警告情報を警備会社等に送信すれば、異常開窓行為の発生件数を低減させることができる。従って、窓の開閉及び異常開窓行為の検出のために複数の装置を用いる必要がなくなり、単一の信号出力手段１２で双方を検出することができるため、簡単な構成で施錠された窓を外部から開けようとする異常開窓行為を監視することができる。
【００１１】
上記課題を解決するためになされた請求項２記載の発明は、図１の基本構成図に示すように、請求項１に記載の窓監視装置において、前記信号出力手段１２は、前記窓の召し合わせ部に設けられたクレセント錠に対する前記施錠の解除操作に応じて前記信号が変化して出力するように設けられ、前記信号出力手段１２が出力した信号に基づいて前記解除操作の発生に応じた変化パターンを検出する解除操作検出手段１４をさらに備え、前記警告情報発生手段１８は、前記開閉操作発生手段が前記開閉操作を検出すると、それ以降に前記開閉検出手段１５による前記開閉が検出されても前記発生を行わないことを特徴とする。
【００１２】
上記請求項２に記載した本発明の窓監視装置によれば、クレセント錠に対する解除操作が行われると、信号出力手段が出力する信号は変化する。そして、その変化が解除操作検出手段１４によって検出されると、その後、開閉検出手段１５によって窓の開閉が検出されても、警告情報発生手段１８は警告情報を発生しない。よって、クレセント錠の解除操作に応じた信号が変化して出力するように信号出力手段１２を設けていることから、施錠されているクレセント錠が解除されれば、信号出力手段１２が出力する信号も変化するため、その変化パターンに基づいて建物内からのクレセント錠に対する解除操作も検出することができる。従って、窓に対する異常開窓行為、窓の開閉、並びに、クレセント錠に対する解除操作を検出することができるため、それらの検出を組み合わせて判断することで、異常開窓操作の誤検出を防止することができる。
【００１３】
上記課題を解決するため本発明によりなされた請求項３記載の防犯システムは、図１の基本構成図に示すように、請求項１又は２に記載の前記窓監視装置１０を備え、前記窓の防犯を行う防犯システムであって、前記窓監視装置１０の前記警告情報発生手段１８が発生した警告情報に基づいて前記警告を行う警告手段３１を備えることを特徴とする。
【００１４】
上記請求項３に記載した本発明の防犯システムによれば、窓監視装置１０の警告情報発生手段１８が警告情報を発生すると、その警告情報に基づいて警告手段３１は警告を行う。よって、窓監視装置１０にて窓の開閉若しくは異常開窓行為の少なくとも一方が検出されて警告情報が発生すると、警告手段３１が警告を行うので、窓の防犯を行うことができる。また、窓監視装置１０は、単一の信号出力手段１２で窓の開閉と異常開窓行為との双方の検出が可能となるため、システム構成を簡単化することが可能となり、低価格にてシステムを構築することができる。従って、施錠された窓を外部から開けようとする異常開窓行為の検出に応じて速やかに警告を行うため、窓に対する異常開窓行為を防止することができる。
【００１５】
【発明の実施の形態】
以下、本発明に係る窓監視装置及び防犯システムの一実施の形態を、図２〜図８の図面を参照して説明する。
【００１６】
ここで、図２は第１の実施の形態における概略構成を示す構成図であり、図３は図２の窓と窓監視装置との関係を示す図であり、図４は図２の窓監視装置の概略構成を示す構成図であり、図５は図４の第１比較器の入力電圧の変化を示すグラフであり、図６は第２の実施の形態における概略構成を示す構成図であり、図７は図６の窓監視装置とクレセント錠との関係を示す図であり、図８は図６の窓監視装置の概略構成を示す構成図である。
【００１７】
［第１の実施の形態］
図２に示すように、一般にサッシ等の引き違い窓（以下、窓という）１は、内側障子２と外側障子３とを固定枠４の各溝（図示せず）により横方向に引き違いにスライド可能な構成となっている。そして、内側障子２及び外側障子３の各々は、窓ガラス２ａ，３ａとその窓ガラス２ａ，３ａのサッシ枠２ｂ，３ｂとを有している。
【００１８】
内側障子２と外側障子３との召し合わせ箇所のサッシ枠２ｂ，３ｂには、公知であるクレセント錠５が取り付けられており、このクレセント錠５は外側障子３のサッシ枠３ｂに受け金具が取り付けられ、内側障子２のサッシ枠２ｂに前記受け金具と噛み合う回転金具が取り付けられている。
【００１９】
前記召し合わせ箇所の内側障子２の上端付近には、本発明に係る窓監視装置１０を設けており、図３に示すように、窓監視装置１０はその底面の一部を内側障子２のサッシ枠２ｂに固定し、その他の底面が外側障子３のサッシ枠３ｂと対向している。そして、この窓監視装置１０は、光を利用したセンサであるフォトインタラプタを有しており、発光素子１１と受光素子１２とをその内部に組み込んだ構造となっている。
【００２０】
発光素子１１及び受光素子１２は、窓１が閉状態のときに、発光素子１１から発せられた光が、外側障子３のサッシ枠３ｂに設けられた反射部材２０で反射して受光素子１２へ到達するような角度、かつ、所定の間隔をもって対置されている。そして、内側障子２若しくは外側障子３のスライドに応じて発光素子１１の発光した光がサッシ枠３ｂにて反射されると、受光素子１２にて受光する受光量が変化するため、この変化を検出することで窓１の開閉を検出することができる。
【００２１】
次に、窓監視装置１０の構成の一例を、図４を参照して説明する。
図４に示すように、発光素子１１はその一端が電源Ｖに接続され、その他端が抵抗Ｒ１を介して接地されている。また、受光素子１２はその一端が電源Ｖに接続され、その他端が第１フィルタ１３の一端及び開閉用比較器１５の入力１５ａに接続されるとともに、抵抗Ｒ２を介して接地されている。
【００２２】
施錠された窓１を外部から開けようとするガラス破壊等の異常開窓行為に応じた固有振動数（例えば、数ｋＨｚ〜数百ｋＨｚなど）の信号のみを通す第１フィルタ１３の他端は、第１比較器１６の入力１６ａに接続されるとともに、抵抗Ｒ３，Ｒ４を介して接地されている。そして、抵抗Ｒ３，Ｒ４の中間点は第１比較器１６の入力１６ｂに接続されるとともに、コンデンサＣ１を介して接地されている。このように抵抗Ｒ３，Ｒ４及びコンデンサＣ１によって遅延回路を構成することで、入力１６ａよりも入力１６ｂの電圧変動を遅らせている。
【００２３】
また、第１比較器１６の出力は、予め定められたプログラムに従って動作するマイクロ・コンピュータ（μＣＯＭ）１８の入力に接続されており、第１フィルタ１３からの入力に応じて異常開窓行為の検知を示す異常検知信号をμＣＯＭ１８に出力する。
【００２４】
また、基準電圧が入力される開閉用比較器１５の入力１５ｂには、抵抗Ｒ７，Ｒ８のそれぞれの一端が接続され、抵抗Ｒ７の他端は電源Ｖに接続され、抵抗Ｒ８の他端は接地されている。そして、開閉用比較器１５の出力はμＣＯＭ１８の入力に接続されており、発光素子１１からの受光量が低下（変化）すると、窓１の開閉を検知したことを示す窓開閉検知信号をμＣＯＭ１８に出力する。
【００２５】
μＣＯＭ１８は、周知のように、予め定めたプログラムに従って各種の処理や制御などを行う中央演算処理装置（ＣＰＵ）１８ａ、ＣＰＵ１８ａのためのプログラム等を格納した読み出し専用のメモリであるＲＯＭ１８ｂ、各種のデータを格納するとともにＣＰＵ１８ａの処理作業に必要なエリアを有する読み出し書き込み自在のメモリであるＲＡＭ１８ｃ等を有して構成している。
【００２６】
μＣＯＭ１８には、例えば、音声、ブザー等で警告を行う警告部３１と、警備会社、利用者等と各種データの送受信を行う通信部３２と、を接続している。そして、μＣＯＭ１８は、開閉用比較器１５及び第１比較器１６から入力される各種信号に基づいて警告部３１における警告を制御する。また、通信部３２は、μＣＯＭ１８から送信データが入力されると指定された送信先にそのデータを送信し、かつ、受信した受信データはμＣＯＭ１８に出力する。
【００２７】
以上説明したように、第１の実施の形態では、窓監視装置１０が前記窓の開閉により変化する信号を出力する受光素子（信号出力手段）１２と、前記受光素子１２が出力した信号から前記窓の前記異常開窓行為の発生に応じた変化パターンを検出する第１フィルタ（異常開窓行為検出手段）１３と、前記受光素子１２が出力した信号から前記窓の開閉に応じた変化パターンを検出する開閉用比較器（開閉検出手段）１５と、前記第１フィルタ１３による前記異常開窓行為の検出、若しくは、前記開閉用比較器１５による前記開閉の検出の少なくとも一方に応じて、前記行為が発生したことを警告するための警告情報を発生するμＣＯＭ（警告情報発生手段）１８と、を備える構成としている。
【００２８】
そして、前記窓監視装置１０と、当該窓監視装置の前記μＣＯＭ（警告情報発生手段）１８が発生した警告情報に基づいて前記警告を行う警告部（警告手段）３１と、を備えて防犯システムを構成している。このように構成することで、窓監視装置１０の小型化を図ることが可能となり、窓１に窓監視装置１０を設けても目立つことはない。
【００２９】
なお、本実施の形態では、警告情報発生手段をμＣＯＭ１８にて実現する場合について説明するが、本発明はこれに限定するものではなく、μＣＯＭ１８の代わりにスイッチ回路等の電気回路にて警告情報発生手段を実現するようにしても差し支えない。
【００３０】
次に、第１の実施の形態における窓監視装置１０及び防犯システムの動作（作用）の一例を説明する。
【００３１】
窓１のクレセント錠５が施錠された状態において、電源部Ｖからの電力の供給に応じて発光素子１１が発光した光は、サッシ枠３ｂの反射部材２０で反射し、その反射した光が受光素子１２にて受光される。つまり、監視中の正常状態では、発光素子１１から受光素子１２までの光路Ｌは一定となる。
【００３２】
そして、窓１を外部から開けようとして窓ガラス２ａ，３ａの破壊が発生すると、その破壊に応じた振動はサッシ枠２ｂ，３ｂに伝達され、その振動に応じて光路Ｌの長さが変化することとなり、この変化に応じて受光素子１２の受光量が増減する。そして、この受光量の増減が前記固有振動数となっていると、第１フィルタ１３は受光量に応じた信号を第１比較器１６に出力する。
【００３３】
第１比較器１６は、図５に示すように、入力１６ａに入力される電圧Ｖ１が低下し、遅れて入力１６ｂの電圧Ｖ２が低下すると、異常開窓行為の検知を示す異常検知信号をμＣＯＭ１８に出力する。そして、異常検知信号の入力に応じてμＣＯＭ１８のＣＰＵ１８ａは、異常開窓行為が発生したことを警告するための警告情報を生成（発生）し、その警告情報を警告部３１に出力することで、警告部３１による警告が開始される。
【００３４】
さらに、内側障子２若しくは外側障子３が開けられたり、外されることで、受光素子１２の受光量が所定受光量よりも減少すると、開閉用比較器１５は窓１の開閉の検知を示す窓開閉検知信号をμＣＯＭ１８に出力する。そして、窓開閉信号の入力に応じてＣＰＵ１８ａが、警告情報を予め定められた警備会社等を送信先に指定して通信部３２に出力することで、通信部３２は入力された警告情報を警備会社等に送信する。
【００３５】
なお、警告部３１の警告を開始するタイミングについては、異常開窓行為を検出した後に窓１の開閉を検出したときに警告を開始するなど種々異なるタイミングとすることができる。そして、それらの検出のタイミングに基づいて警告を開始するか否かを判断することで、誤検出を防止することができる。
【００３６】
以上説明したように、窓１の開閉に応じた信号を出力するように受光素子（信号出力手段）１２を設けていることから、窓ガラス２ａ，３ａの破壊等の異常開窓行為が発生すれば、受光素子１２が出力する信号も変化するため、その変化パターンに基づいて窓の開閉及び異常開窓行為の双方を検出することができる。従って、従来のように窓１の開閉及び異常開窓行為の検出のために複数の装置を用いる必要がなくなり、単一の受光素子１２で双方を検出することができるため、簡単な構成で施錠された窓１を外部から開けようとする異常開窓行為を監視することができる。
【００３７】
さらに、窓監視装置１０にて窓１の開閉若しくは異常開窓行為の少なくとも一方が検出されて警告情報が発生すると、警告部（警告手段）３１が警告を行うので、窓１の防犯を行うことができる。また、窓監視装置１０は、単一の受光素子１２で窓の開閉と異常開窓行為との双方の検出が可能となるため、システム構成を簡単化することが可能となり、低価格にてシステムを構築することができる。従って、施錠された窓１を外部から開けようとする異常開窓行為の検出に応じて速やかに警告を行うため、窓１に対する異常開窓行為を防止することができる。
【００３８】
［第２の実施の形態］
次に、本発明に係る窓監視装置１０及び防犯システムの第２の実施の形態について説明する。なお、上述した第１の実施の形態で説明したものと同一あるいは相当する部分には同一符号を付してその詳細な説明は省略する。
【００３９】
上述した第１の実施の形態では、窓監視装置１０を窓１のサッシ枠２ｂに設けた場合について説明したが、第２の実施の形態では、図６及び図７に示すように、クレセント錠５の近傍に窓監視装置１０を設けた場合について説明する。
【００４０】
窓１のサッシ枠３ｂに設けられた受け金（図示せず）に対応したサッシ枠２ｂの箇所には、クレセント錠５を設けている。このクレセント錠５は、扇形の錠止め部が一体的に形成された操作レバー５１と、この操作レバー５１を所定範囲で回動自在に軸支する軸部５２と、この軸部５２を固定した状態でサッシ枠２ｂに取り付けられる取付部５３と、を有している。
【００４１】
クレセント錠５の取付部５３の表面には、窓監視装置１０の発光素子１１が発光した光をその受光素子１２に反射するための反射部材２０を設けている。そして、その反射部材２０と対向するように窓監視装置１０を固定する固定部５４をクレセント錠５に設けている。このように窓監視装置１０をクレセント錠５の近傍に設けることで、その施錠の解除操作による微細な振動等の検出を可能としている。
【００４２】
窓監視装置１０は、第１の実施の形態と同様に、前記窓１の開閉により変化する信号を出力する受光素子（信号出力手段）１２と、前記受光素子１２が出力した信号から前記窓の前記異常開窓行為の発生に応じた変化パターンを検出する第１フィルタ（異常開窓行為検出手段）１３と、前記受光素子１２が出力した信号から前記窓の開閉に応じた変化パターンを検出する開閉用比較器（開閉検出手段）１５と、前記第１フィルタ１３による前記異常開窓行為の検出、若しくは、前記開閉用比較器１５による前記開閉の検出の少なくとも一方に応じて、前記行為が発生したことを警告するための警告情報を発生するμＣＯＭ（警告情報発生手段）１８と、を備えている。
【００４３】
前記受光素子１２は、前記窓１の召し合わせ部に設けられたクレセント錠５に対する前記施錠の解除操作に応じて前記信号が変化して出力するように設けられ、窓監視装置１０はさらに、前記受光素子１２が出力した信号に基づいて前記解除操作の発生に応じた変化パターンを検出する第２フィルタ（解除操作検出手段）１４を備えている。
【００４４】
そして、前記窓監視装置１０と、当該窓監視装置の前記μＣＯＭ（警告情報発生手段）１８が発生した警告情報に基づいて前記警告を行う警告部（警告手段）３１と、を備えて防犯システムを構成している。このように構成することで、窓監視装置１０の小型化を図ることが可能となり、窓１に窓監視装置１０を設けても目立つことはない。
【００４５】
次に、第２の実施の形態における窓監視装置１０の構成の一例を説明する。なお、第１の実施の形態と同様の箇所については説明を省略する。そして、第２の実施の形態では、図８に示すように、第１の実施の形態の構成に第２フィルタ１４、第２比較器１７等を新たに追加した構成となっている。
【００４６】
まず、クレセント錠５に対する解除操作によって生じた微細な振動に応じた微細振動数（例えば、数百Ｈｚ以下など）の信号のみを通す第２フィルタ１４の一端は、受光素子１２と抵抗Ｒ２の中間点に接続されている。そして、第２フィルタ１４の他端は、第２比較器１７の入力１７ａに接続されるとともに、抵抗Ｒ５，Ｒ６を介して接地されている。そして、抵抗Ｒ５，Ｒ６の中間点は第２比較器１７の入力１７ｂに接続されるとともに、コンデンサＣ２を介して接地されている。
【００４７】
このように抵抗Ｒ５，Ｒ６及びコンデンサＣ２によって遅延回路を構成することで、入力１７ａよりも入力１７ｂの電圧変動を遅らせている。また、第２比較器１７の出力はμＣＯＭ１８の入力に接続されており、第２フィルタ１４からの入力に応じてクレセント錠５が内側から操作されたことを示す操作検知信号をμＣＯＭ１８に出力する。
【００４８】
次に、第２の実施の形態における窓監視装置１０及び防犯システムの動作（作用）を説明する。
【００４９】
窓１のクレセント錠５が施錠された状態において、電源部Ｖからの電力の供給に応じて発光素子１１が発光した光は、クレセント錠５の取付部５３の反射部材２０で反射し、その反射した光が受光素子１２にて受光される。つまり、監視中の正常状態では、発光素子１１から受光素子１２までの光路Ｌは一定となる。
【００５０】
そして、窓１を外部から開けようとして窓ガラス２ａ，３ａの破壊が発生すると、その破壊に応じた振動はサッシ枠２ｂ，３ｂに伝達され、その振動に応じて光路Ｌの長さが変化することとなり、受光素子１２の受光量が増減する。この受光量の増減が前記固有振動数となっていると、第１フィルタ１３は受光量に応じた信号を第１比較器１６に出力され、第１比較器１６は、異常開窓行為の検知を示す異常検知信号をμＣＯＭ１８に出力する。
【００５１】
その後、内側障子２若しくは外側障子３が開けられたり、外されることで、受光素子１２の受光量が所定受光量よりも減少すると、開閉用比較器１５は窓１の開閉の検知を示す窓開閉検知信号をμＣＯＭ１８に出力する。そして、ＣＰＵ１８ａは、窓開閉検知信号の入力に応じて、窓１に対する異常開窓行為が発生した後に窓１の開閉が行われたことを検出し、異常開窓行為が発生したことを警告するための警告情報を生成（発生）し、その警告情報を警告部３１に出力することで、警告部３１による警告が開始される。そして、ＣＰＵ１８ａはさらに、警告情報を予め定められた警備会社等を送信先に指定して通信部３２に出力することで、通信部３２は入力された警告情報を警備会社、利用者等に送信する。
【００５２】
また、窓監視装置１０の監視中において、窓１のクレセント錠５が建物の内部から解除操作が行われ、その解除操作に応じて微細な振動が発生すると、その微細な振動に応じて光路Ｌの長さが変化するため、受光素子１２の受光量が僅かながら増減（変化）する。この受光量の微細な増減が前記微細振動数となっていると、第２フィルタ１４は受光量に応じた信号を第２比較器１７に出力する。
【００５３】
その入力に応じて第２比較器１７は、前記解除操作の検知を示す操作検知信号をμＣＯＭ１８に出力すると、μＣＯＭ１８のＣＰＵ１８は、建物の内部からクレセント錠５が解除されたことを認識し、窓１に対する異常開窓行為の監視を終了する。
【００５４】
以上説明したように、窓１の開閉に応じた信号を出力するように受光素子（信号出力手段）１２を設けていることから、窓ガラス２ａ，３ａの破壊等の異常開窓行為が発生すれば、受光素子１２が出力する信号も変化するため、その変化パターンに基づいて窓の開閉及び異常開窓行為の双方を検出することができる。従って、従来のように窓１の開閉及び異常開窓行為の検出のために複数の装置を用いる必要がなくなり、単一の受光素子１２で双方を検出することができるため、簡単な構成で施錠された窓１を外部から開けようとする異常開窓行為を監視することができる。
【００５５】
さらに、クレセント錠５の解除操作に応じた信号が変化して出力するように受光素子（信号出力手段）１２を設けていることから、施錠されているクレセント錠５が解除されれば、信号出力手段１２が出力する信号も変化するため、その変化パターンに基づいて建物内からのクレセント錠５に対する解除操作も検出することができる。従って、窓１に対する異常開窓行為、窓１の開閉、並びに、クレセント錠５に対する解除操作を検出することができるため、それらの検出を組み合わせて判断することで、異常開窓操作の誤検出を防止することができる。
【００５６】
また、窓監視装置１０にて窓１の開閉若しくは異常開窓行為の少なくとも一方が検出されて警告情報が発生すると、警告部（警告手段）３１が警告を行うので、窓１の防犯を行うことができる。また、窓監視装置１０は、単一の受光素子（信号出力手段）１２で窓の開閉と異常開窓行為との双方の検出が可能となるため、システム構成を簡単化することが可能となり、低価格にてシステムを構築することができる。従って、施錠された窓１を外部から開けようとする異常開窓行為の検出に応じて速やかに警告を行うため、窓に対する異常開窓行為を防止することができる。
【００５７】
なお、上述した第１及び第２の実施の形態では、信号出力手段を受光素子１２にて実現する場合について説明したが、本発明はこれに限定するものではなく、ホール素子にて実現するなど種々異なる実施の形態とすることができる。
【００５８】
例えば、ホール素子を用いる場合、上述した第１及び第２の実施の形態における受光素子１２をホール素子に置き換え、ホール素子の近傍に永久磁石を設ける。そして、ホール素子の電圧変化パターンに基づいて異常開窓行為及び窓１の開閉を検出する。
【００５９】
また、上述した第１及び第２の実施の形態では、引き違い窓１に窓監視装置１０を取り付けた場合について説明したが、上げ下げ窓、外開き窓等の種々異なる窓に対して取り付けることができる。
【００６０】
【発明の効果】
以上説明したように請求項１に記載した本発明の窓監視装置によれば、窓の開閉に応じた信号を出力するように信号出力手段を設けていることから、窓ガラスの破壊等の異常開窓行為が発生すれば、信号出力手段が出力する信号も変化するため、その変化パターンに基づいて窓の開閉及び異常開窓行為の双方を検出することができる。そして、発生した警告情報の発生に応じて警告を行うことで、窓の防犯を行うことができる。また、警告情報を警備会社等に送信すれば、異常開窓行為の発生件数を低減させることができる。従って、窓の開閉及び異常開窓行為の検出のために複数の装置を用いる必要がなくなり、単一の信号出力手段で双方を検出することができるため、簡単な構成で施錠された窓を外部から開けようとする異常開窓行為を監視することができるという効果を奏する。
【００６１】
請求項２に記載の発明によれば、請求項１に記載の発明の効果に加え、クレセント錠の解除操作に応じた信号が変化して出力するように信号出力手段を設けていることから、施錠されているクレセント錠が解除されれば、信号出力手段が出力する信号も変化するため、その変化パターンに基づいて建物内からのクレセント錠に対する解除操作も検出することができる。従って、窓に対する異常開窓行為、窓の開閉、並びに、クレセント錠に対する解除操作を検出することができるため、それらの検出を組み合わせて判断することで、異常開窓操作の誤検出を防止することができるという効果を奏する。
【００６２】
以上説明したように請求項３に記載した本発明の防犯システムによれば、窓監視装置にて窓の開閉若しくは異常開窓行為の少なくとも一方が検出されて警告情報が発生すると、警告手段が警告を行うので、窓の防犯を行うことができる。また、窓監視装置は、単一の信号出力手段で窓の開閉と異常開窓行為との双方の検出が可能となるため、システム構成を簡単化することが可能となり、低価格にてシステムを構築することができる。従って、施錠された窓を外部から開けようとする異常開窓行為の検出に応じて速やかに警告を行うため、窓に対する異常開窓行為を防止することができるという効果を奏する。
【図面の簡単な説明】
【図１】本発明の窓監視装置を有する防犯システムの基本構成を示す図である。
【図２】第１の実施の形態における概略構成を示す構成図である。
【図３】図２の窓と窓監視装置との関係を示す図である。
【図４】図２の窓監視装置の概略構成を示す構成図である。
【図５】図４の第１比較器の入力電圧の変化を示すグラフである。
【図６】第２の実施の形態における概略構成を示す構成図である。
【図７】図６の窓監視装置とクレセント錠との関係を示す図である。
【図８】図６の窓監視装置の概略構成を示す構成図である。
【符号の説明】
１０　　　　　窓監視装置
１２　　　　　信号出力手段（受光素子）
１３　　　　　異常開窓行為検出手段（第１フィルタ）
１４　　　　　解除操作検出手段（第２フィルタ）
１５　　　　　開閉検出手段（開閉用比較器）
１８　　　　　警告情報発生手段（ＣＰＵ）
３１　　　　　警告手段（警告部）
【図１】
2004110539.tif 000003
【図２】
2004110539.tif 000004
【図３】
2004110539.tif 000005
【図４】
2004110539.tif 000006
【図５】
2004110539.tif 000007
【図６】
2004110539.tif 000008
【図７】
2004110539.tif 000009
【図８】
2004110539.tif 000010